(57)【要約】【課題】支柱に対して接続部材を強固に取付けられると共に、接続部材を介して支柱にフェンス体を強固に強固に取付けられるフェンスを提供する。【解決手段】支柱１に接続部材３を介してフェンス体２が接続され、接続部材３は、フェンス体２に接続されるフェンス接続部３１と、支柱１外周面に沿って曲折された支柱抱持部３２とを備えた半割状の二個一対の接続具３３が、一方の支柱抱持部３２の端部に形成された奥部が広幅の凹部３２１と、他方の端部に形成された先端が広幅の突部３２２とが嵌合されて連結されると共に、両接続具３３の支柱抱持部３２で支柱１を抱持させるようにフェンスを構成する。【選択図】        図１
2008297799.tif 000002
【特許請求の範囲】
【請求項１】
適宜間隔で地面に立設された支柱に接続部材を介してフェンス体が接続され、前記接続部材は、フェンス体に接続されるフェンス接続部と、支柱外周面に沿って曲折された支柱抱持部とを備えた半割状の二個一対の接続具が、一方の支柱抱持部の端部に形成された奥部が広幅の凹部と、他方の端部に形成された先端が広幅の突部とが嵌合されて連結されると共に、両接続具の支柱抱持部で支柱を抱持させることを特徴とするフェンス。
【請求項２】
前記フェンス体には筒状胴縁が設けられると共に、該筒状胴縁に両接続具のフェンス接続部が挿入されていることを特徴とする請求項１に記載のフェンス。
【請求項３】
適宜間隔で地面に立設された支柱にフェンス体を接続するフェンス用接続部材であって、前記接続部材は、フェンス体に接続されるフェンス接続部と、支柱外周面に沿って曲折された支柱抱持部とを備えた半割状の二個一対の接続具が、一方の支柱抱持部の端部に形成された奥部が広幅の凹部と、他方の端部に形成された先端が広幅の突部とが嵌合されて連結されると共に、両接続具の支柱抱持部で支柱を抱持させるようになされたことを特徴とするフェンス用接続部材。
【発明の詳細な説明】
【技術分野】
【０００１】
本発明は、敷地境界や隣地境界に設置されるフェンスに関するものであり、特に支柱に接続部材を介してフェンス体が接続されたフェンスに関するものである。
【背景技術】
【０００２】
一般に、フェンスにおいて、支柱間に架設されるフェンス体を支柱に接続するための接続部材には様々なものが提案されている。例えば、支柱外周面に沿って円弧状で且つ貫通孔を有する円弧状バンド部と、フェンス体の筒状胴縁内に差し込まれる略パイプ状の差込部からなる連結金具が提案されている（例えば、特許文献１参照。）。
【０００３】
この連結金具は、円弧状バンド部の貫通孔から支柱のボルト孔にボルトを通しナットで締結することにより、円弧状バンド部で支柱に抱着され、且つフェンス体の筒状胴縁に差し込まれる差込部と筒状胴縁の外面に配置された押え金具とをボルト・ナットで連結することにより胴縁に締着されるものであり、支柱の連結作業が簡単で速やかになし得るものである。
【０００４】
【特許文献１】実開平６−２０８０５号公報
【発明の開示】
【発明が解決しようとする課題】
【０００５】
しかしながら、前記の連結金具には次のような問題点があった。すなわち、この連結金具は、支柱と円弧状バンド部とを単にボルト・ナットで締結した形態のものであり、筒状胴縁とのフェンス体に比較的大きな外力が掛かって、連結金具がフェンス体側に引っ張られると円弧状バンド部が位置ずれを起こしたり、円弧状部が外方に向けて開放する方向に変形が起こる場合があり、これによりフェンス体にがたつきが生じたりする恐れがあり、この点が問題であった。
【０００６】
本発明は、前記の如き問題点を解消し、支柱に対して接続部材を強固に取付けられると共に、接続部材を介して支柱にフェンス体を強固に取付けられるフェンスを提供せんとするものである。
【課題を解決するための手段】
【０００７】
上記目的を達成するために、本発明は次のような構成としている。
すなわち本発明に係るフェンスは、適宜間隔で地面に立設された支柱に接続部材を介してフェンス体が接続され、前記接続部材は、フェンス体に接続されるフェンス接続部と、支柱外周面に沿って曲折された支柱抱持部とを備えた半割状の二個一対の接続具が、一方の支柱抱持部の端部に形成された奥部が広幅の凹部と、他方の端部に形成された先端が広幅の突部とが嵌合されて連結されると共に、両接続具の支柱抱持部で支柱を抱持させることを特徴とするものである。
【０００８】
又、本発明に係るフェンス用接続部材は、前記接続部材は、フェンス体に接続されるフェンス接続部と、支柱外周面に沿って曲折された支柱抱持部とを備えた半割状の二個一対の接続具が、一方の支柱抱持部の端部に形成された奥部が広幅の凹部と、他方の端部に形成された先端が広幅の突部とが嵌合されて連結されると共に、両接続具の支柱抱持部で支柱を抱持させるようになされたことを特徴とするものである。
【発明の効果】
【０００９】
本発明に係るフェンスによれば、支柱にフェンス体を接続する接続部材は支柱外周面に沿って曲折された支柱抱持部を備えた半割状の二個一対の接続具からなるので、支柱外周面に沿って支柱抱持部を配置し支柱を抱持することにより、支柱に対して接続部材を強固に取付けることが可能となる。又、接続部材において、接続具は、一方の支柱抱持部の端部に形成された奥部が広幅の凹部と、他方の端部に形成された先端が広幅の突部とが嵌合されて連結されるので、接続部材に対して、フェンス体側に引っ張られる方向、つまり連結された支柱抱持部の端部が離れる方向に外力が作用しても、連結部の支柱抱持部の連結部が嵌合して容易に外れないため、連結部材の変形や位置ずれ等が起こりにくく、従ってフェンス体のがたつき等の不具合が起こりにくくなる。
【００１０】
又、本発明に係るフェンス用接続部材によれば、支柱にフェンス体を接続するフェンス用接続部材は支柱外周面に沿って曲折された支柱抱持部を備えた半割状の二個一対の接続具からなるので、支柱外周面に沿って支柱抱持部を配置し支柱を抱持することにより、支柱に対してフェンス用接続部材を強固に取付けることが可能となる。又、このフェンス用接続部材において、接続具は、一方の支柱抱持部の端部に形成された奥部が広幅の凹部と、他方の端部に形成された先端が広幅の突部とが嵌合されて連結されるので、フェンス用接続部材に対して、フェンス体側に引っ張られる方向、つまり連結された支柱抱持部の端部が離れる方向に外力が作用しても、連結部の支柱抱持部の連結部が嵌合して容易に外れないため、フェンス用連結部材の変形や位置ずれ等が起こりにくく、従ってフェンス体のがたつき等の不具合が起こりにくくなる。
【００１１】
本発明に係るフェンスにおいて、フェンス体には筒状胴縁が設けられると共に、該筒状胴縁に両接続具のフェンス接続部が挿入されるようになされれば、接続部材は、支柱抱持部で嵌合され連結された形態を保持しやすくなり、容易に外れないので好ましい。
【発明を実施するための最良の形態】
【００１２】
次に、本発明を実施するための最良の形態について図面を参照し、具体的に説明する。
【００１３】
すなわち、図１は本発明に係るフェンスの実施形態を示す正面図、図２は図１の主要部の拡大図、図３は接続部材の説明図、図４は接続具の説明図、図５は接続部材の第２の実施形態を示す拡大正面図である。
【００１４】
図において、１は地面に適宜間隔で立設された支柱１はフェンス体、３は支柱１とフェンス体２とを接続する接続部材であり、フェンス体２は接続部材３を介して支柱に接続されたものである。
【００１５】
図１は本発明に係るフェンスＦの実施形態を示す正面図である。先ず支柱１は、いずれも亜鉛めっきが施された円筒状の鋼材からなるもので、表面全体に塗装が施されて形成されたものである。
【００１６】
フェンス体２は、いずれも亜鉛メッキが施された鉄線材からなる縦線材２１と横線材２２とが縦横格子状に組合わされ、その格子状の各交叉部が電気溶接によって固着され、さらに表面全体に塗装が施されて形成されたものである。そして、フェンス体２の上下端部は、円筒状に曲折されて胴縁２３が形成されている。本形態では、胴縁２３を構成する縦線材２１と横線材２２において、縦線材２１が外側に配置され、横線材２２が内側に配置された形態であるが、縦線材２１と横線材とが内外逆に配置された形態でもよい。
【００１７】
図２は、図１において、支柱１とフェンス体２との接続箇所を示す拡大正面図である。接続部材３は、フェンス体２に接続されるフェンス接続部３１と支柱１の外周面に沿って曲折された支柱抱持部３２とを備えた半割状の二個一対の同型の接続具３３とからなり、図示してないが支柱１の裏面側にも接続具３３が配置されている。本形態では、接続部材３は鋼材の表面に塗装が施されたものであるが、支柱１とフェンス体２との接続部材として必要な強度と剛性があればよく、特に限定されるものではない。
【００１８】
フェンス接続部３１は、縦断面半円状に形成され、この半円状部が二個が合わさって縦断面円形状となされ、支柱１の胴縁２３の端部から胴縁２３内に挿入され、フェンス体２に接続されている。又、支柱抱持部３２は、それぞれの端部が嵌合されて連結され、支柱１の外周面に沿って配置され、そして支柱１を抱持している。尚、図２に示すように、支柱抱持部３２の下方において、支柱抱持部３２が下方に滑って移動することを防止するために、支柱１に滑り止め用のビスＡを取付けてもよい。
【００１９】
次に、接続部材３について更に詳しく説明する。図３は、接続部材３の説明図であり、（ａ）は図２の接続部材３における支柱抱持部３２側の側面図である。（ａ）に示されるように、接続部材３は、支柱抱持部３２の端部において、一方の端部には奥部が広幅の凹部３２１が形成され、他方の端部には先端が広幅の突部３２２が形成されている。そして、前記凹部３２１と前記突部３２２とが嵌合され連結されるようになされている。本形態では、支柱抱持部３２の端部に凹部３２１と突部３２２とがそれぞれ相対して形成されると共に、その形成位置は互いに回転対称状となされている。従って一の接続具３３と反転させた接続具３３とを互いに連結させて接続部材３となすことが可能となる。尚、凹部３２１及び突部３２２は、一の端部に複数形成されてもよく、又、その形状は、本形態に示される台形状の形態に限定されるものではなく、Ｔ字状やＬ字状でもよく、要するに、支柱抱持部３２の両端部が離れる方向に応力等が作用した場合に、容易に外れないように嵌合されるものであればよい。
【００２０】
図３の（ｂ）は、図２の接続部材３における主要部の平面図である。支柱抱持部３２の内側面及び突部３２２の内側面は、支柱１の外側面に沿って形成されている。これにより、支柱１を軸として接続部材３が回動可能となされフェンス接続部３１の支柱１回りの位置調整が可能となると共に、この際、突部３２２が支柱１の外側面に接触して傷が生じたり、支柱１の表面塗装等の表面処理層の剥離等の不具合は起こりにくくなる。又、支柱抱持部３２の外側面及び突部３２２の外側面は、支柱抱持部３２が嵌合連結された際に平坦な円周面が形成されるものである。これにより、支柱抱持部３２の嵌合部に作業者の作業着等が引っ掛かることはなく、又、外観上、嵌合部が目立ちにくくなる。
【００２１】
又、（ｂ）において接続部材３の対向する二個のフェンス接続部３１の間に隙間Ｓが設けられるようになされている。そして、この二個のフェンス接続部３１が合わさって、つまり隙間Ｓが狭くなって縦断面が円形状となされた時に、このフェンス接続部３１の外形とフェンス体２の胴縁２３の内形とが略同形となされる。従って、このフェンス接続部３１を胴縁２３内に挿入して隙間Ｓが狭くなると、支柱抱持部３２には支柱１に向けて付勢力が生じて、支柱１を強固に抱持することができる。
【００２２】
図３の（ｃ）は、図２の接続部材３における主要部の正面図である。フェンス接続部３１には横方向に長孔３１１が設けられている。接続部材３において、対向するフェンス接続部３１を合わせてフェンス体２の胴縁２３に内挿した際に、対向するフェンス接続部３１の長孔３１１の間にボルトを貫通させてナットで締め付けることにより、対向するフェンス接続部３１の間の隙間Ｓが狭まり、支柱抱持部３２で支柱１をより強固に抱持させることができる。
【００２３】
フェンス接続部３１は、フェンス体２の胴縁２３に内挿させた時には、胴縁２３を構成する横線材２２と略当接した形態である。従って図２に示す様に、胴縁２３の外側に押さえ金具４を配置し、図示していないが反対側からも押さえ金具４を配置し、それぞれの押さえ金具４に設けられた両長孔４１にボルトを貫通させナットで締め付けることにより、押さえ金具４とフェンス接続部３１とにより胴縁２３を構成する横線材２２を挟持することができるので、フェンス体２に対して接続部材３を強固に固着させることができる。更に表裏に配置された押さえ金具４により、胴縁２３内に挿入されたフェンス接続部３１どうしを締め付けることができるので、隙間Ｓを狭くして支柱抱持部３２で支柱１をより強固に抱持させることができる。
【００２４】
図３の（ｄ）は、図２の接続部材３におけるフェンス接続部３１側の側面図であり、図４は接続具３１の説明図であり、（ａ）は背面図、（ｂ）は平面図である。フェンス接続部３１には、半円状部の上下端部から内側に折り返された折り返し部３１１が設けられると共に、折り返し部３の先端において、一方には外側に向けて爪部３１２が突設され、他方には切欠き部３１３が設けられている。そして、一の接続具３３と反転させた接続具３３とを連結させてフェンス接続部３１どうしを合わせた時に、前記爪部３１２が切欠き部３１３に係止されて、接続具３３はフェンス接続部３１の長手方向には互いに位置ずれしにくくなる。これにより、接続部材３により支柱１を抱持する際に、接続具３３の一方がフェンス接続部３１の長手方向にずれて支柱抱持部３２の端部の嵌合が外れるようなことが起こりにくくなる。この爪部３１２及び切欠き部３１３は折り返し部３の先端に複数設けられてもよいが、設けられなくてもよい。
【００２５】
接続部材３を支柱１に取付ける際は、先ず、一の接続具３３を支柱１の外周面に沿って配置し、そして支柱１を挟んで反対側にもう一つの接続具３３を配置し、支柱抱持部３２の端部を嵌合させ連結させる。そして、相対するフェンス接続部３１をフェンス体２の胴縁２３の端部から胴縁２３内に挿入する。この二個一対の接続具３３を同形に形成すると共に、一の接続具３３と反転させた接続具３３とにより接続部材３を構成するようにすれば、接続具３３は一種類しか必要なく好ましいが、二個一対の接続具３３において、同形ではなく２種類の接続具３３から構成されるものでもよい。
【００２６】
フェンス体２の胴縁２３の形状は縦断面円形状となされているが、断面形状は、四角形状、三角形状、楕円形状等の他の形状でもよく、接続部材３のフェンス接続部３１の形状も胴縁２３の形状に合わせた形態とすればよい。
【００２７】
図５は、接続部材３の第二の実施形態を示す拡大正面図である。この形態に係る接続部材３は、図１〜３に示された接続部材３と比べて、主に支柱抱持部３２に透孔３２４が設けられている点が異なるものであり、他の部分は図１〜３に示された接続部材３と同様である。
【００２８】
すなわち、第二の実施形態に係る接続部材３は、それぞれの接続具３３の支柱抱持部３２に透孔３２４が設けられ、門扉の枠支柱５の外周面に沿って配置された際に、一方の透孔３２４から支柱１に設けられた透孔を通って他方の透孔３２４にボルトを貫通させ、ナットで締め付けて支柱１に固定するものである。つまり、図１〜３に示した接続部材３は、主に支柱周りの位置調整が必要な時に用いられ、図４に示した接続部材３は、主に支柱周りの位置調整が不要な場合に用いられる。
【産業上の利用可能性】
【００２９】
本発明によれば、接続部材は支柱外周面に沿って曲折された支柱抱持部を備えた半割状の二個一対の接続具からなり、支柱外周面に沿って支柱抱持部を配置し支柱を抱持することにより、支柱に対して接続部材を強固に取付けることが可能となるので、例えば、フェンス体同士をＴ字状に連結する際に、一方のフェンス体において胴縁の外周面に支柱抱持部を配置してこの胴縁を抱持すると共に、他方のフェンス体の胴縁にフェンス体連結部を内挿して、フェンス体同士を連結する場合にも好適に利用できる。
【図面の簡単な説明】
【００３０】
【図１】本発明に係るフェンスを示す正面図である。
【図２】図１の主要部の拡大正面図である。
【図３】接続部材の説明図である。
【図４】接続具の説明図である。
【図５】接続部材の第２の実施形態を示す拡大正面図である。
【符号の説明】
【００３１】
１    支柱
２    フェンス体
２１  縦線材
２２  横線材
２３  胴縁
３    接続部材
３１  フェンス接続部
３２  支柱抱持部
３２１  凹部
３２２  突部
３３  接続具
４    押さえ金具
５    枠支柱
Ａ    ビス
Ｆ    フェンス
Ｓ    隙間
【図１】
2008297799.tif 000003
【図２】
2008297799.tif 000004
【図３】
2008297799.tif 000005
【図４】
2008297799.tif 000006
【図５】
2008297799.tif 000007